【事件の表示】
　平成９年特許願第２６６７５６号「インクジェット記録シート」拒絶査定不服審判事件〔平成１１年４月１３日出願公開、特開平１１−９９７３８〕について、次のとおり審決する。
【結　論】
　本件審判の請求は、成り立たない。
【理　由】
１．手続の経緯・本願発明
　本願は、平成９年９月３０日の出願であって、その請求項１に係る発明は、平成１４年４月１６日付けの手続補正書によって補正された明細書の記載からみて、その特許請求の範囲の請求項１に記載された事項により特定される次のとおりのものと認める。
 「支持体の少なくとも片面にインク受容層が設けられ、かつ該インク受容層表面に油性インクで印刷が施されてなるインクジェット記録シートにおいて、該油性インクによる印刷がスクリーン線数２５０線／インチ以上の高精細印刷であり、且つ油性インクによる被覆面積率が７０％以下であることを特徴とするインクジェット記録シート。」（以下、「本願発明」という。）
　
２．引用刊行物記載の発明
　原査定の拒絶の理由に引用された、本願出願前に頒布された刊行物である、刊行物１及び刊行物２には下記の事項がそれぞれ記載されている。
（刊行物１：特開平８−２３０３０７号公報の記載事項）
(1a)「【請求項１】油性インキで印刷を行った後、水性インクでインクジェット記録を行うインクジェット記録方法において、インクジェット記録の単位ドット面積に占める油性インキ転写面積の割合が７０％以下である領域に、インクジェット記録を行うことを特徴とするインクジェット記録方法。」
(1b)「【０００９】特に、本発明では、油性インキで印刷を行った後、水性インクでインクジェット記録を行うインクジェット記録方法に関するものであり、特に、インクジェット記録された文字や画像が著しく高い鮮鋭度を有するインクジェット記録方法に関するものである。」
(1c)「【００１０】【課題を解決するための手段】本発明者らは、上記の問題解決につき鋭意検討を重ねた結果、インクジェット記録の単位ドット面積に占める油性インキ転写面積に注目し、特定割合にある領域に対してインクジェット記録を行うことによって、インクジェット記録された文字や画像の鮮鋭度を著しく高めることが可能であることを見いだした。」
(1d)「【００１４】インクジェット記録の単位ドット面積に占める油性インキ転写面積の割合が７０％超える領域にインクジェット記録を行った場合、油性インキによる印刷表面でインクジェット記録される水性インクが弾いてしまい、十分なインク吸収性が得られず、インクジェット記録した文字や画像の鮮鋭度が低下するため好ましくない。」
(1e)「【００１５】本発明におけるインクジェット記録方法で使用されるインクジェット記録シートは、支持体の少なくとも一方に、接着剤を主成分とするインク受理層を設けた構成である。」
(1f)「【００３９】実施例１
［インクジェット記録シート作製］・・・長網抄紙機で抄造し・・・支持体を得た。
【００４０】上記支持体表面に、合成非晶質シリカ・・・ポリビニルアルコール・・・ラテックス・・・カチオン性染料定着剤・・・塗液を・・・塗工・乾燥してインクジェット記録シートを作製した。
・・・
【００４２】上記インクジェット記録シートに、ローランドオフセット印刷機を使用して、ＴＲＡＮＳ−Ｇ−Ｓシアンインキ（大日本印刷製）で網点階調チャートを印刷し、室温で一昼夜放置した。
【００４３】得られた印刷が施されたインクジェット記録シートの階調チャートを、ルーゼックス画像処理装置で４０倍に拡大して、それぞれのインクジェット記録の単位ドット面積（０．００７８５ｍｍ2）に占める油性インキ転写面積の割合を測定した。そして、転写面積の割合が１０％である領域に、インクジェットプリンタ（ＭＪ−７００Ｖ２Ｃ：エプソン製）でブラックインクの文字印字及びベタ印字を行った。」
　
（刊行物２：特開平６−２１８８９６号公報の記載事項）
(2a)「【０００２】【従来の技術】枚葉オフセット印刷において、一般高級印刷の場合のスクリ−ン線数は、１インチ当たり175線が主流とされている。しかし、近年、情報の高密度化に対処できると共に、印刷物の尖鋭性，鮮やかさを具現でき、しかも、モアレ，ロ−ゼットを解消することができる、より高い線数の印刷物が注目されるようになってきた。」
(2b)「【０００７】【発明が解決しようとする課題】本発明は、上記のような従来技術に鑑み、オフセット印刷において、１インチ当たりのスクリ−ン線数が300線以上の高精細な印刷に用いて、印刷時の安定性及び微小な網点の再現性にすぐれた高精細印刷用紙を提供することを、その課題とするものである。」
　
３．対比
　上記刊行物１の記載事項から、刊行物１には、「支持体の少なくとも片面にインク受理層が設けられ、該インク受理層表面に油性インキで印刷が施されているインクジェット記録シートにおいて、インクジェット記録の単位ドット面積に占める油性インキ転写面積の割合が７０％以下である領域に、水性インクによるインクジェット記録を行うインクジェット記録シート」の発明（以下、「刊行物１発明」という。）が記載されているところ、本願発明１と刊行物１発明とを比較すると、両者の間には、以下のような一致点及び相違点がある。
　
（一致点）
　支持体の少なくとも片面にインク受容層が設けられ、かつ該インク受容層表面に油性インクで印刷が施されてなるインクジェット記録シートである点。
（相違点）
　本願発明が、油性インクによる印刷がスクリーン線数２５０線／インチ以上の高精細印刷であり、且つ油性インクによる被覆面積率が７０％以下であるのに対して、刊行物１発明は、印刷の方式を規定せず、スクリーン線数２５０線／インチ以上の高精細印刷による印刷の油性インクによるドットの被覆面積率は不明である点。
　
４．判断
　上記相違点について検討する。
　まず、刊行物１（上記(1c)(1d)）には、インクジェット記録の単位ドット面積に占める油性インキ転写面積の割合が７０％超える領域にインクジェット記録を行った場合、油性インキによる印刷表面でインクジェット記録される水性インクが弾いてしまい、十分なインク吸収性が得られず、インクジェット記録した文字や画像の鮮鋭度が低下することが記載され、本願明細書（段落【００４３】）にも、油性インクの被覆面積率が７０％を超えると後から打込まれる水性インクジェット用インクの吸収性が十分に得られず、インクジェット記録した文字や画像の鮮鋭度が低下することが記載されているように、両者は、油性インクによる印刷の方式は別として、予め施される油性インクの印刷面積と、後から施される水性インクの吸収性の関係を見出した点で共通する発明である。
　そして、刊行物２にも記載されるように、スクリーン線数２５０線／インチ以上の高精細印刷は、本願出願前より、よく知られた印刷方式であるから、刊行物１発明のインクジェット記録シートの油性インクによる印刷の方式として採用することに何ら困難性はなく、この方式を適用した際にも、油性インキによる印刷表面でインクジェット記録される水性インクの弾きがなく、十分なインク吸収性が得られるように、油性インクの印刷被覆率を決める必要があることは、刊行物１に接した当業者であれば当然に考えることであり、実験を行い、十分なインク吸収性及び印字の鮮鋭度が得られる最適な値を求め、油性インクによる被覆面積率７０％以下とすることに何ら困難性はない。
　審判請求人は審判請求理由で、本願明細書の実施例ではスクリーン線数２５０線／インチの印刷方式と比較例である１５０線／インチの従来法の結果から、本願発明は、油性インクによる被覆率７０％が以下であることによって、特異的に優れた効果を奏するものであることを主張するが、本願明細書の【表１】【表２】をみると、インク被覆面積率とインク吸収性の関係については、両者は特に異なるものではなく、鮮鋭度については、２５０線／インチが、従来の１５０線／インチに比べて優れているものの、この効果は、予め施した印刷が線数の多いものであり、油性インクで覆われない部分が細かく分布することにより必然的に奏された効果といえ、これを確認したにすぎないものといえる。
　
５．むすび
　以上のとおり、本願請求項１に係る発明は、刊行物１及び２に記載された発明に基づいて当業者が容易に発明をすることができたものであるから、特許法第２９条第２項の規定により特許を受けることができず、本願は拒絶すべきものである。
　よって、結論のとおり審決する。